(57)【特許請求の範囲】
【請求項１】
第１の装置と第２の装置とを備え、
前記第１の装置は、
撮影を行い、撮影画像を示す画像データを出力する撮影部と、
前記撮影部にて撮影された画像データを前記第２の装置に送信し、また、前記第２の装置からの検索対象に関連するメール情報を受信する第１の通信部と、
前記第１の通信部が受信した前記第２の装置からの前記検索対象に関連するメール情報をユーザに提示する提示部と、
前記画像データを前記第１の通信部から送信する際に、当該第１の装置と通信可能な他の装置を選択可能に前記提示部に提示させる第１の制御部と、を有し、
前記第１の通信部は、前記提示部に提示された他の装置のうち選択された前記第２の装置に前記画像データを送信し、
前記第２の装置は、
前記検索対象に関連するメール情報を、該検索対象を示す画像データに対応させて記憶する記憶部と、
前記第１の装置からの画像データを受信し、また、前記検索対象に関連するメール情報を前記第１の装置に送信する第２の通信部と、
前記第２の通信部が前記第１の装置から画像データを受信すると、前記記憶部に記憶されている画像データの中で前記受信した画像データに一致するものを検索し、該検索された画像データに対応して記憶されている情報を前記検索対象に関連するメール情報として前記第２の通信部に送信させる第２の制御部と、を有することを特徴とする検索システム。
【請求項２】
請求項１記載の検索システムにおいて、
前記第１の装置は、前記ユーザに装着される腕時計であることを特徴とする検索システム。
【請求項３】
情報処理装置であって、
検索対象に関連するメール情報を、該検索対象を示す画像データに対応させて記憶する記憶部と、
選択可能に提示された通信可能な装置の中から当該情報処理装置を選択した他の装置からの画像データを受信し、また、前記検索対象に関連するメール情報を前記他の装置に送信する通信部と、
前記通信部が前記他の装置から画像データを受信すると、前記記憶部に記憶されている画像データの中で前記受信した画像データに一致するものを検索し、該検索された画像データに対応して記憶されている情報を前記検索対象に関連するメール情報として前記通信部に送信させる制御部と、を有することを特徴とする情報処理装置。
【請求項４】
撮影を行い、撮影画像を示す画像データを出力する撮影部と、
検索対象に関連するメール情報を、該検索対象を示す画像データに対応させて記憶する他の装置に、前記撮影部にて撮影された画像データを送信し、また、前記他の装置からの、前記他の装置に記憶されている画像データの中で前記送信した画像データに一致する画像データに対応して記憶されている情報を前記検索対象に関連するメール情報として受信する通信部と、
前記通信部が受信した前記他の装置からの前記検索対象に関連するメール情報をユーザに提示する提示部と、
前記画像データを前記通信部から送信する際に、通信可能な他の装置を選択可能に前記提示部に提示させる制御部と、を有し、
前記通信部は、前記提示部に提示された他の装置のうち選択された他の装置に前記画像データを送信することを特徴とする情報提示装置。
【請求項５】
請求項４記載の情報提示装置であって、
前記情報提示装置は、前記ユーザに装着される腕時計であることを特徴とする情報提示装置。
【請求項６】
情報処理装置の制御方法であって、
検索対象に関連するメール情報を、該検索対象を示す画像データに対応させて記憶し、
選択可能に提示された通信可能な装置の中から当該情報処理装置を選択した他の装置からの画像データを受信し、
前記他の装置から画像データを受信すると、前記記憶している画像データの中で前記受信した画像データに一致するものを検索し、
前記検索された画像データに対応して記憶している情報を前記検索対象に関連するメール情報として前記他の装置に送信することを特徴とする情報処理装置の制御方法。
【請求項７】
情報提示装置の制御方法であって、
撮影を行い、撮影画像を示す画像データを出力し、
当該情報提示装置と通信可能な他の装置を選択可能にユーザに提示し、
ユーザによって選択され、検索対象に関連するメール情報を、該検索対象を示す画像データに対応させて記憶する他の装置に、前記画像データを送信し、
前記他の装置からの、前記他の装置に記憶されている画像データの中で前記送信した画像データに一致する画像データに対応して記憶されている情報を前記検索対象に関連するメール情報として受信し、
前記他の装置から受信した前記検索対象に関連するメール情報をユーザに提示することを特徴とする情報提示装置の制御方法。
【請求項８】
情報処理装置に、
検索対象に関連するメール情報を、該検索対象を示す画像データに対応させて記憶する処理と、
選択可能に提示された通信可能な装置の中から当該情報処理装置を選択した他の装置からの画像データを受信する処理と、
前記他の装置から画像データを受信すると、前記記憶している画像データの中で前記受信した画像データに一致するものを検索する処理と、
前記検索された画像データに対応して記憶している情報を前記検索対象に関連するメール情報として前記他の装置に送信する処理と、を実行させるプログラム。
【請求項９】
情報提示装置に、
撮影を行い、撮影画像を示す画像データを出力する処理と、
当該情報提示装置と通信可能な他の装置を選択可能にユーザに提示する処理と、
ユーザによって選択され、検索対象に関連するメール情報を、該検索対象を示す画像データに対応させて記憶する他の装置に前記画像データを送信する処理と、
前記他の装置の、前記他の装置に記憶されている画像データの中で前記送信した画像データに一致する画像データに対応して記憶されている情報を前記検索対象に関連するメール情報として受信する処理と、
前記他の装置から受信した前記検索対象に関連するメール情報をユーザに提示する処理と、を実行させるプログラム。
【発明の詳細な説明】
【技術分野】
【０００１】
本発明は、検索対象に関連する関連情報を検索する検索システム、情報処理装置、情報提示装置、情報処理装置及び情報提示装置の制御方法、並びにプログラムに関する。
【背景技術】
【０００２】
携帯電話、スマートフォン、パーソナルコンピュータなどの情報処理装置には、メールの送受信などの通信を行う相手の名前、電話番号、メールアドレスなどの電話帳データを記憶する電話帳機能、また、検索対象が指定されると、その検索対象に関連する関連情報（例えば、検索対象のメールアドレスを送信元または送信先とするメール情報など）を検索し、検索結果を出力する検索機能を備えるものがある。
【０００３】
検索機能を備える情報処理装置において、検索対象を指定する方法としては、検索対象の名前、メールアドレスなどを入力する方法がある。
【０００４】
また、検索対象を指定する方法として、特許文献１（特開２００５−２６７１４６号公報）には、カメラを備えた情報処理装置において、検索対象の電話帳データに対応させて、その検索対象の顔の画像データを記憶し、カメラで撮影した撮影画像に含まれる人物の顔を抽出し、記憶している画像データの中で抽出した人物の顔に一致する顔を示す画像データに対応して記憶されている電話帳データに示される検索対象を検索対象と指定されたとする方法が開示されている。
【先行技術文献】
【特許文献】
【０００５】
【特許文献１】特開２００５−２６７１４６号公報
【発明の概要】
【発明が解決しようとする課題】
【０００６】
名前、メールアドレスなどを入力して検索対象を指定する方法では、名前、メールアドレスなどの入力は、ユーザにとって煩わしく感じられ、使い勝手が悪いという問題がある。また、特許文献１に開示の方法では、カメラ、電話帳データを記憶する構成、および、検索を行うための構成などが情報処理装置内に備えられているため、情報処理装置のサイズが大きくなってしまう。情報処理装置のサイズが大きくなると、ユーザが情報処理装置をかばんなどに入れておくことが多くなり、関連情報の検索を行うために情報処理装置をかばんなどから取り出すことが必要となり、ユーザにとって面倒であるという問題がある。
【０００７】
本発明の目的は、検索対象の関連情報を検索する際の使い勝手の向上を図ることができる検索システム、情報処理装置、情報提示装置、情報処理装置及び情報提示装置の制御方法、並びにプログラムを提供することにある。
【課題を解決するための手段】
【０００８】
上記目的を達成するために本発明の検索システムは、
第１の装置と第２の装置とを備え、
前記第１の装置は、
撮影を行い、撮影画像を示す画像データを出力する撮影部と、
前記撮影部にて撮影された画像データを前記第２の装置に送信し、また、前記第２の装置からの前記検索対象に関連する情報を受信する第１の通信部と、
前記第１の通信部が受信した前記第２の装置からの前記検索対象に関連する情報をユーザに提示する提示部と、を有し、
前記第２の装置は、
前記検索対象に関連する情報を、該検索対象を示す画像データに対応させて記憶する記憶部と、
前記第１の装置からの画像データを受信し、前記検索対象に関連する情報を前記第１の装置に送信する第２の通信部と、
前記第２の通信部が前記第１の装置から画像データを受信すると、前記記憶部に記憶されている画像データの中で前記受信した画像データに一致するものを検索し、該検索された画像データに対応して記憶されている情報を前記検索対象に関連する情報として前記第２の通信部に送信させる制御部と、を有する。
【０００９】
上記目的を達成するために本発明の情報処理装置は、
検索対象に関連する情報を、該検索対象を示す画像データに対応させて記憶する記憶部と、
他の装置からの画像データを受信し、また、前記検索対象に関連する情報を前記他の装置に送信する通信部と、
前記通信部が前記他の装置から画像データを受信すると、前記記憶部に記憶されている画像データの中で前記受信した画像データに一致するものを検索し、該検索された画像データに対応して記憶されている情報を前記検索対象に関連する情報として前記通信部に送信させる制御部と、を有する。
【００１０】
上記目的を達成するための本発明の情報提示装置は、
撮影を行い、撮影画像を示す画像データを出力する撮影部と、
検索対象に関連する情報を、該検索対象を示す画像データに対応させて記憶する他の装置に、前記撮影部にて撮影された画像データを送信し、また、前記他の装置からの、前記他の装置に記憶されている画像データの中で前記送信した画像データに一致する画像データに対応して記憶されている情報を前記検索対象に関連する情報として受信する通信部と、
前記通信部が受信した前記他の装置からの前記検索対象に関連する情報をユーザに提示する提示部と、を有する。
【００１１】
上記目的を達成するために本発明の情報処理装置の制御方法は、
情報処理装置の制御方法であって、
検索対象に関連する情報を、該検索対象を示す画像データに対応させて記憶し、
他の装置からの画像データを受信し、
前記他の装置から画像データを受信すると、前記記憶している画像データの中で前記受信した画像データに一致するものを検索し、
前記検索された画像データに対応して記憶している情報を前記検索対象に関連する情報として前記他の装置に送信する。
【００１２】
上記目的を達成するための本発明の情報提示装置の制御方法は、
情報提示装置の制御方法であって、
撮影を行い、撮影画像を示す画像データを出力し、
検索対象に関連する情報を、該検索対象を示す画像データに対応させて記憶する他の装置に、前記画像データを送信し、
前記他の装置からの、前記他の装置に記憶されている画像データの中で前記送信した画像データに一致する画像データに対応して記憶されている情報を前記検索対象に関連する情報として受信し、
前記他の装置から受信した前記検索対象に関連する情報をユーザに提示する。
【００１３】
上記目的を達成するために本発明の第１のプログラムは、
情報処理装置に、
検索対象に関連する情報を、該検索対象を示す画像データに対応させて記憶する処理と、
他の装置からの画像データを受信する処理と、
前記他の装置から画像データを受信すると、前記記憶している画像データの中で前記受信した画像データに一致するものを検索する処理と、
前記検索された画像データに対応して記憶している情報を前記検索対象に関連する情報として前記他の装置に送信する処理と、を実行させる。
【００１４】
上記目的を達成するために本発明の第２のプログラムは、
情報提示装置に、
撮影を行い、撮影画像を示す画像データを出力する処理と、
検索対象に関連する情報を、該検索対象を示す画像データに対応させて記憶する他の装置に前記画像データを送信する処理と、
前記他の装置の、前記他の装置に記憶されている画像データの中で前記送信した画像データに一致する画像データに対応して記憶されている情報を前記検索対象に関連する情報として受信する処理と、
前記他の装置から受信した前記検索対象に関連する情報をユーザに提示する処理と、を実行させる。
【発明の効果】
【００１５】
本発明によれば、検索対象の関連情報を検索する際の使い勝手の向上を図ることができる。
【図面の簡単な説明】
【００１６】
【図１】本発明の第１の実施形態の検索システムの構成を示す図である。
【図２】図１に示す情報提示装置の構成を示すブロック図である。
【図３】図１に示す情報処理装置の構成を示すブロック図である。
【図４】図２に示す情報提示装置の動作を示すフローチャートである。
【図５】図３に示す情報処理装置の動作を示すフローチャートである。
【図６】本発明の第２の実施形態の情報提示装置の構成を示すブロック図である。
【図７】本発明の第２の実施形態の情報処理装置の構成を示すブロック図である。
【発明を実施するための形態】
【００１７】
以下に、本発明を実施するための形態について図面を参照して説明する。
【００１８】
（第１の実施形態）
図１は、本発明の第１の実施形態の検索システム１の構成を示す図である。
【００１９】
図１に示す検索システム１は、情報提示装置１０と、情報処理装置２０と、を備える。
【００２０】
情報提示装置１０は、ユーザから指定された検索対象の関連情報を情報処理装置２０から取得し、ユーザに提示する。なお、情報処理装置１０の具体例としては、ユーザに装着される腕時計などがあり、操作しやすい状態でユーザに携帯されるものが好適である。
【００２１】
情報処理装置２０は、検索対象の名前、電話番号、メールアドレスなどの電話帳データを記憶する。また、情報処理装置２０は、検索対象に関連する関連情報（その検索対象のメールアドレスを送信元または送信先とするメール情報など）を記憶する。また、情報処理装置２０は、情報提示装置１０において指定された検索対象の関連情報を情報提示装置１０に送信する。
【００２２】
図２は、情報提示装置１０の構成を示すブロック図である。なお、上述したように、情報提示装置１０の具体例としては、例えば、腕時計があるが、図２においては、本発明に関する機能ブロックのみを示し、他の機能ブロックについては説明を省略する。
【００２３】
図２に示す情報提示装置１０は、操作部１１と、ＲＯＭ（Read Only Memory）１２と、作業用メモリ１３と、撮影部１４と、画像用メモリ１５と、通信部１６と、表示部１７と、ＣＰＵ（Central Processing Unit）１８と、上述した各部を接続するバス１９と、を有する。なお、表示部１７は、提示部の一例である。
【００２４】
操作部１１は、操作入力を受け付け、入力された操作に応じた信号をＣＰＵ１８に出力する。
【００２５】
ＲＯＭ１２は、ＣＰＵ１８が実行するプログラムなどを記憶する。
【００２６】
作業用メモリ１３は、ＣＰＵ１８がプログラムを実行するのに必要な情報などを一時的に記憶する。
【００２７】
撮影部１４は、撮影を行い、撮影画像の画像データを出力する。
【００２８】
画像用メモリ１５は、撮影部１４から出力された画像データを記憶する。
【００２９】
通信部１６は、画像用メモリ１５に記憶されている画像データを情報処理装置２０に送信する。また、通信部１６は、情報処理装置２０から送信されてきた検索対象の関連情報を受信し、出力する。なお、通信部１６は、Ｂｌｕｅｔｏｏｔｈ（登録商標）などの近距離無線通信方式を用いて、情報処理装置２０との間で送受信を行う。
【００３０】
表示部１７は、検索対象の関連情報を表示して、ユーザに提示する。
【００３１】
ＣＰＵ１８は、撮影を行う旨が入力されると、撮影部１４に撮影を行わせ、撮影画像の画像データを画像用メモリ１５に記憶させる。また、ＣＰＵ１８は、画像用メモリ１５に記憶されている画像データを選択する旨が入力されると、通信部１６に、その画像データを情報処理装置２０へと送信させる。また、ＣＰＵ１８は、通信部１６が検索対象の関連情を受信すると、その関連情報を表示部１７に表示させる。
【００３２】
図３は、情報処理装置２０の構成を示すブロック図である。なお、図３においては、本発明に関する機能ブロックのみを示し、他の機能ブロックについては図示を省略する。
【００３３】
図３に示す情報処理装置２０は、操作部２１と、ＲＯＭ２２と、作業用メモリ２３と、電話帳データ用メモリ２４と、メール情報用メモリ２５と、通信部２６と、ＣＰＵ２７と、上述した各部を接続するバス２８と、を有する。なお、ＣＰＵ２７は、制御部の一例である。
【００３４】
操作部２１は、操作入力を受け付け、入力された操作に応じた信号をＣＰＵ２７に出力する。
【００３５】
ＲＯＭ２２は、ＣＰＵ２７が実行するプログラムなどを記憶する。
【００３６】
作業用メモリ２３は、ＣＰＵ２７がプログラムを実行するのに必要な情報などを一時的に記憶する。
【００３７】
電話帳データ用メモリ２４は、検索対象の名前、電話番号、メールアドレスなどの電話帳データを記憶する。また、電話帳データ用メモリ２４は、検索対象の電話帳データに対応させてその検索対象を示す画像データを記憶する。なお、電話帳データは、例えば、操作部２１を介して入力される。また、検索対象を示す画像データは、例えば、情報処理装置２０がカメラを備える場合には、そのカメラに撮影を行わせて取得してもよく、また、情報提示装置１０の撮影部１４に撮影を行わせて取得するようにしてもよい。
【００３８】
メール情報用メモリ２５は、メールの送受信などが行われると、そのメールの送信元あるいは送信先のメールアドレス、メールの件名、本文などのメール情報を関連情報の一例として記憶する。
【００３９】
なお、本実施形態においては、電話帳データ用メモリ２４が検索対象の電話帳データとその検索対象を示す画像データとを対応させて記憶し、メール情報用メモリ２５がメール情報を関連情報として記憶する例を用いて説明するが、これに限られるものではなく、例えば、１つのメモリ上で検索対象を示す画像データとその検索対象の関連情報とを対応させて記憶するようにしてもよい。
【００４０】
通信部２６は、情報提示装置１０から送信されてきた画像データを受信し、出力する。また、通信部２６は、検索対象の関連情報を情報提示装置１０に送信する。なお、通信部２６は、Ｂｌｕｅｔｏｏｔｈなどの近距離無線通信方式を用いて、情報提示装置１０との間で送受信を行う。
【００４１】
ＣＰＵ２７は、通信部２６が情報提示装置１０から画像データを受信すると、電話帳データ用メモリ２４に記憶されている画像データの中で、通信部２６が受信した画像データに一致するものを検索する。また、ＣＰＵ２７は、検索した画像データに対応して電話帳データ用メモリ２４に記憶されているメールアドレスを送信元または送信先とするメール情報をメール情報用メモリ２５から抽出し、抽出したメール情報を検索対象の関連情報として通信部２６に情報提示装置１０へと送信させる。
【００４２】
次に、本実施形態の情報提示装置１０の動作について、図４に示すフローチャートを参照して説明する。
【００４３】
なお、以下では、予め、検索対象を撮影した撮影画像の画像データが画像用メモリ１５に記憶されているものとする。
【００４４】
ＣＰＵ１８は、操作部１１を介して、画像用メモリ１５に記憶されている画像データを指定して、検索対象を指定する旨が入力されたか否かを判定する（ステップＳ１０１）。
【００４５】
検索対象を指定する旨が入力されていない場合には（ステップＳ１０１：Ｎｏ）、ＣＰＵ１８は、ステップＳ１０１の処理を繰り返す。
【００４６】
検索対象を指定する旨が入力された場合には（ステップＳ１０１：Ｙｅｓ）、ＣＰＵ１８は、通信部１６に、通信可能な他の機器の探索を行わせる（ステップＳ１０２）。なお、通信部１６は、例えば、所定の信号をブロードキャスト送信し、その信号に対する他の機器からの応答に応じて、通信可能な他の機器の探索を行う。
【００４７】
通信可能な他の機器がない場合には（ステップＳ１０２：Ｎｏ）、ＣＰＵ１８は、処理を終了する。
【００４８】
通信可能な他の機器がある場合には（ステップＳ１０２：Ｙｅｓ）、ＣＰＵ１８は、通信部１６に、通信可能な他の機器の機器名など、その他の機器を識別するための情報を取得させ、表示部１７に、通信部１６が取得した他の機器を識別するための情報の一覧を表示させる（ステップＳ１０３）。
【００４９】
次に、ＣＰＵ１８は、表示部１７の表示に応じて、操作部１１を介して、機器を選択する旨が入力されたか否かを判定する（ステップＳ１０４）。
【００５０】
機器を選択する旨の入力がなく（ステップＳ１０４：Ｎｏ）、操作部１１を介して、処理を終了する旨が入力されると、ＣＰＵ１８は、処理を終了する。
【００５１】
なお、以下では情報処理装置２０が選択されたものとする。
【００５２】
機器を選択する旨が入力されると（ステップＳ１０４：Ｙｅｓ）、ＣＰＵ１８は、通信部１６に、画像用メモリ１５に記憶されている画像データを、選択された機器（情報処理装置２０）へと送信させる（ステップＳ１０５）。
【００５３】
次に、本実施形態の情報処理装置２０の動作について、図５に示すフローチャートを参照して説明する。なお、以下では、検索対象の電話帳データに対応して、その検索対象の顔画像を示す画像データが記憶されているものとする。また、以下では、検索対象の関連情報は、その検索対象とのメールのメール情報であるとする。
【００５４】
情報提示装置１０から画像データが送信されてくると、通信部２６は、その画像データを受信する。
【００５５】
ＣＰＵ２７は、通信部２６が画像データを受信すると、その画像データの画像解析を行い、人物の顔画像が含まれているか否かを判定する（ステップＳ２０２）。なお、画像データの中から人物の顔を認識する方法は、当業者にとってよく知られており、本発明と直接関係しないので、詳細な説明を省略する。
【００５６】
通信部２６が受信した画像データに顔画像が含まれていない場合には（ステップＳ２０２：Ｎｏ）、ＣＰＵ２７は、処理を終了する。
【００５７】
通信部２６が受信した画像データに顔画像が含まれている場合には（ステップＳ２０２：Ｎｏ）、ＣＰＵ２７は、例えば、顔画像における特徴データを抽出し、抽出した特徴データが一致するか否かに基づき、電話帳データ用メモリ２４に記憶されている画像データの中に、その顔画像と一致する顔画像を示す画像データがあるか否かを判定する（ステップＳ２０３）。
【００５８】
通信部２６が受信した画像データに含まれる顔画像に一致する顔画像を示す画像データが電話帳データ用メモリ２４に記憶されていない場合には（ステップＳ２０３：Ｎｏ）、ＣＰＵ２７は、処理を終了する。
【００５９】
通信部２６が受信した画像データに含まれる顔画像に一致する顔画像を示す画像データが電話帳データ用メモリ２４に記憶されている場合には（ステップＳ２０３：Ｙｅｓ）、ＣＰＵ２７は、その画像データに対応して電話帳データ用メモリ２４に記憶されているメールアドレスを取得する（ステップＳ２０４）。
【００６０】
次に、ＣＰＵ２７は、取得したメールアドレスを送信元または送信先とするメール情報がメール情報用メモリ２５に記憶されているか否かを判定する（ステップＳ２０５）。
【００６１】
取得したメールアドレスを送信元または送信先とするメール情報がメール情報用メモリ２５に記憶されていない場合には（ステップＳ２０５：Ｎｏ）、ＣＰＵ２７は、処理を終了する。
【００６２】
取得したメールアドレスを送信元または送信先とするメール情報がメール情報用メモリ２５に記憶されている場合には（ステップＳ２０５：Ｙｅｓ）、ＣＰＵ２７は、そのメール情報を取得する（ステップＳ２０６）。さらに、ＣＰＵ２７は、通信部２６に、取得したメール情報を、画像データを送信してきた情報提示装置１０へと送信させる（ステップＳ２０７）。
【００６３】
情報提示装置１０へと送信されたメール情報は、情報提示装置１０の通信部１６が検索対象の関連情報として受信し、表示部１７に表示されることで、ユーザに提示される。
【００６４】
このように本実施形態によれば、検索システム１は、情報提示装置１０と情報処理装置２０とを有する。情報提示装置１０は、検索対象を撮影した撮影画像の画像データを情報処理装置２０に送信する。情報処理装置２０は、検索対象の関連情報をその検索対象を示す画像データに対応させて記憶し、情報提示装置１０から画像データを受信すると、記憶している画像データの中で受信した画像データに一致する画像データを検索し、検索した画像データに対応して記憶している関連情報を情報提示装置１０に送信する。情報提示装置１０は、情報処理装置２０から送信されてきた情報を検索対象の関連情報としてユーザに提示する。
【００６５】
そのため、本実施形態の検索システム１によれば、検索対象をユーザが撮影するだけで、情報処理装置２０において、その検索対象の関連情報の検索が行われ、情報提示装置１０において、検索された関連情報が提示されるので、検索対象の関連情報を検索する際の使い勝手の向上を図ることができる。また、情報提示装置１０には、関連情報を記憶するための構成および検索対象の関連情報を検索する構成などが設けられていないため、小型化を図ることができる。情報提示装置１０が小型化されると、情報提示装置１０を、例えば、ユーザが装着する腕時計としたり、あるいは、ユーザが着用する服の胸ポケットなどに収容される程度のサイズとしたりして、ユーザが常に携帯できるようになる。そのため、本実施形態の情報提示装置１０によれば、ユーザが常に情報提示装置１０を携帯し、関連情報の検索を行いたいときに、すぐに情報提示装置１０を操作して検索対象を指定し、検索結果を得ることできるので、検索対象の関連情報を検索する際の使い勝手の向上を図ることができる。
【００６６】
なお、本実施形態においては、検索対象を示す画像データが、その検索対象の顔画像を示す画像データである場合を例として説明したがこれに限られるものではなく、その検索対象を一意に示すものであればよい。
【００６７】
また、本実施形態においては、情報提示装置１０と情報処理装置２０とがＢｌｕｅｔｏｏｔｈを用いて送受信を行う例を用いて説明したが、これに限られるものではなく、例えば、無線ＰＡＮ（Personal Area Network）などを用いて送受信を行ってもよい。また、情報提示装置１０と情報処理装置２０とが有線を介して送受信を行ってもよい。
【００６８】
また、情報提示装置１０と情報処理装置２０とが別装置である場合を例として説明したがこれに限られるものではない。近年の情報処理装置の中には、第１および第２の筐体を有し、第１の筐体と第２の筐体とが分離された状態で無線通信を行うことで、１つの情報処理装置として動作可能なものがある。このような情報処理装置において、例えば、第１の筐体に本実施形態の情報提示装置１０の機能を搭載し、第２の筐体に情報処理装置２０の機能を搭載するようにしてもよい。
【００６９】
（第２の実施形態）
次に、本発明の第２の実施形態の検索システム２について説明する。本実施形態の検索システム２は、第１の実施形態の検索システム１と同様の構成を有する点では共通するが、情報提示装置１０を情報提示装置３０に変更した点と、情報処理装置２０を情報処理装置４０に変更した点と、が異なる。
【００７０】
図６は、情報提示装置３０の構成を示すブロック図である。
【００７１】
図６に示す情報提示装置３０は、撮影部３１と、通信部３２と、提示部３３と、を有する。
【００７２】
撮影部３１は、撮影を行い、撮影画像を示す画像データを出力する。
【００７３】
通信部３２は、撮影部３１にて撮影された画像データを図６においては不図示の情報処理装置４０に送信する。また、通信部３２は、情報処理装置４０から送信されてきた情報を検索対象に関連する情報として受信して出力する。
【００７４】
提示部３３は、通信部３２から出力された検索対象に関連する情報をユーザに提示する。
【００７５】
図７は、情報処理装置４０の構成を示すブロック図である。
【００７６】
図７に示す情報処理装置４０は、記憶部４１と、通信部４２と、制御部４３と、を有する。
【００７７】
記憶部４１は、検索対象に関連する情報を、その検索対象を示す画像データに対応させて記憶する。
【００７８】
通信部４２は、図７においては不図示の情報通知装置３０から送信されてきた画像データを受信する。また、通信部４２は、検索対象の関連情報を情報提示装置１０に送信する。
【００７９】
制御部４３は、通信部４２が画像データを受信すると、記憶部４１に記憶されている画像データの中で通信部４２が受信した画像データに一致する画像データを検索し、検索した画像データに対応して記憶されている情報を検索対象に関連する情報として通信部４２に情報提示装置３０へと送信させる。
【００８０】
このように本実施形態によれば、情報提示装置３０は、検索対象を撮影した撮影画像の画像データを情報処理装置４０へ送信する。情報処理装置４０は、検索対象の関連情報をその検索対象を示す画像データに対応させて記憶し、情報提示装置３０から画像データを受信すると、記憶している画像データの中で受信した画像データに一致するものを検索し、検索した画像データに対応して記憶している関連情報を情報提示装置３０に送信する。情報提示装置３０は、情報処理装置４０から送信されてきた情報を検索対象の関連情報としてユーザに提示する。
【００８１】
そのため、本実施形態の検索システム２によれば、検索対象をユーザが撮影するだけで、情報処理装置４０において、その検索対象の関連情報の検索が行われ、情報提示装置３０において、検索された関連情報が提示されるので、簡易に検索対象の関連情報を検索することができ、関連情報を検索する際の使い勝手の向上を図ることができる。また、情報提示装置３０には、関連情報を記憶するための構成および検索対象の関連情報を検索する構成などが設けられていないため、小型化を図ることができる。情報提示装置３０が小型化されると、情報提示装置３０を、例えば、ユーザが装着する腕時計としたり、あるいは、ユーザが着用する服の胸ポケットなどに収容される程度のサイズとしたりして、ユーザが常に携帯できるようになる。そのため、本実施形態の情報提示装置３０によれば、ユーザが常に情報提示装置３０を携帯し、関連情報の検索を行いたいときに、すぐに情報提示装置３０を操作して検索対象を指定し、検索結果を得ることできるので、検索対象の関連情報を検索する際の使い勝手の向上を図ることができる。
【００８２】
なお、本発明の情報提示装置および情報提供装置において行われる方法は、コンピュータに実行させるためのプログラムに適用してもよい。また、そのプログラムを記憶媒体に格納することも可能であり、ネットワークを介して外部に提供することも可能である。
【符号の説明】
【００８３】
１    検索システム
１０，３０    情報提示装置
１１，２１    操作部
１２，２２    ＲＯＭ
１３，２３    作業用メモリ
１４，３１    撮影部
１５    画像用メモリ
１６，２６，３２，４２    通信部
１７，３３    表示部
１８，２７    ＣＰＵ
１９，２８    バス
２０，４０    情報処理装置
２４    電話帳データ用メモリ
２５    メール情報用メモリ
４１    記憶部
４３    制御部
【図１】
0005834506.tif 000002
【図２】
0005834506.tif 000003
【図３】
0005834506.tif 000004
【図４】
0005834506.tif 000005
【図５】
0005834506.tif 000006
【図６】
0005834506.tif 000007
【図７】
0005834506.tif 000008